(57)【要約】      （修正有）【課題】この考案は野球のバットを必要本数立てられるスタンドで、使用後は素早く折りたたんで収納し、運搬を軽易にしたポータブル野球バットスタンドに関するものである。【解決手段】天板１と側板２とさらに収納箱３を丁番６で接続し、長方形に構成した内角に垂れ板４を回転させることにより、角度調整が可能となり、立ち上げ、又は折りたたみが簡単な操作で素早く出来るポータブル野球バットスタンドである。又スタンドを折りたたんで収納し、容易に運搬出来るポータブル野球バットスタンドである。【選択図】図６
0003105488.tif 000002
【実用新案登録請求の範囲】
【請求項１】
（イ）野球バットのスタンドとなる天板▲１▼と側板▲２▼及び垂れ板▲４▼が収納箱▲３▼の中に、折りたたみにより容易に納まり、簡単に持ち運びが出来る。
（ロ）収納箱▲３▼の中に納めてある天板▲１▼を引き上げ、天板▲１▼の上に重ねて設けてある垂れ板▲４▼を２７０度回転させ、垂直に垂らすことにより、容易に野球バットのスタンドが出来る。
（ハ）収納箱▲３▼の主箱と蓋箱には野球バットを立てた時のブレ止め板▲５▼を取付ける。
（ニ）収納箱▲３▼の主箱と蓋箱の外側には箱留め金物▲８▼とクッションゴム▲９▼及び取っ手▲１０▼を取付ける。
以上の如く構成された、ポータブル野球バットスタンド
【考案の詳細な説明】
【考案の詳細な説明】
【技術分野】
【０００１】この考案は一般の野球グランドで、野球やソフトボールをする時のバットを複数本差し込み、又立て掛けることのできる用具で、折りたたみ収納し、容易に運搬できるポータブル野球バットスタントに関するものである。
【背景技術】
【０００２】従来、公式野球グランド以外、専用のバット置き場は無く、一般的にはグランドに直置きし、バットにつまづき負傷や骨折等の心配があった。
又、野球のバット入れとして、空箱や空ラックを利用していたのを見かけるが、これらの物は不安定で危険であり、持ち運びに不便であった。
【考案が解決しようとする課題】
【０００３】（イ）本案は、野球やソフトボールの球技大会では開始前ほとんど時間無く、道具を素早く揃えたい。
（ロ）上記の球技中ベンチ付近にバットを散乱させない。
（ハ）上記の球技大会の安全な進行に役立てたい。
（ニ）どこの球場へも容易に運搬したいことです。
【課題を解決するための手段】
【０００４】いまその解決手段を図面に追いながら説明すると、
（イ）野球バットを一箇所に集め活用するため、天板▲１▼の長手方向中央に野球バットを差し込む穴を数箇所開ける、さらに長手方向の片側面に野球バットを立て掛ける半円形の欠き込みも数箇所設ける。
【図１】
（ロ）野球バットスタンドとして折りたたみ活用するため、側板▲２▼は上下二枚に設け、丁番▲６▼で外側谷折れに接続する。
【図２】
（ハ）天板▲１▼の左右に設けた側板▲２▼を上端は天板▲１▼に、下端は土台としての収納箱▲３▼の主箱内部底にそれぞれ丁番▲６▼で内側谷折れに接続する、これにより天板▲１▼と側板▲２▼及び収納箱▲３▼で構成する長方形の一体化とする。
【図２】
（ニ）野球バットスタンドとしての架台安定を保つため、垂れ板▲４▼は、天板▲１▼の上に重ねて設け、長手方向の一方に丁番▲７▼（首長丁番）で接続し、天板▲１▼の下側に２７０度回転させることにより、左右の側板▲２▼の間に垂れ下がる、よって天板▲１▼と側板▲２▼で構成する４５度の２角を固め、スタンドとしての架台が安定する。
【図２】
・
【図３】
（ホ）収納箱▲３▼は、主箱と蓋の箱を同型にし、長手方向に添えて上開きに設け丁番▲６▼で接続し、短手方向には箱留め金物▲８▼を取付けて転倒防止とし、地面との接地面には各箱の四隅にクッションゴム▲９▼を取付けて、土台としての活用を可能にする。
【図５】
・
【図６】
（ヘ）収納箱▲３▼の主箱と蓋箱の中の底部にバットの先を受ける穴明きのブレ止め板▲５▼を取付ける
【図６】
（ト）野球バット使用終了時に素早く片付けるため、垂れ板▲４▼を天板▲１▼の上に２７０度回転させ、戻すことにより、天板▲１▼と側板▲２▼で構成する４５度の角度が解け、簡単に折りたたみ収納する。
【図３】
・
【図４】
（チ）収納箱▲３▼は、上記（ト）の操作により、天板▲１▼、側板▲２▼、垂れ板▲４▼を折りたたんで収納し、蓋の箱をかぶせて留め金物▲８▼を掛け、取っ手▲１０▼を持って容易に運搬する。
【図４】
、
【図５】
以上の構成からなる、ポータブル野球バットスタンドです。
【考案を実施するための最良の形態】
【０００５】（イ）本考案は、以上のような構造であるから、あらゆる使用場所（グランド等）へ容易に持ち運び出来き、収納箱▲３▼の留め金物▲８▼を外し、天板▲１▼を引き上げ、垂れ板▲４▼を２７０度下側に回転させる簡単な操作で立上げ、野球やソフトボールの練習又は対戦時に素早く役立てる。
（ロ）野球やソフトボール練習又は対戦が終了後は垂れ板▲４▼を２７０度上に回転する簡単な操作で収納箱▲３▼に素早く納めることが出来る。【０００６】なお、本考案実施にあたっては次のことが出来る。
（イ）天板▲１▼、側板▲２▼と収納箱▲３▼で構成する架台の角度を保たせるため、
下記（Ａ）と（Ｂ）でも可能であること。
（Ａ）建具金物を利用する方法
（Ｂ）筋飼いや，落し込み板の方法
（ろ）側板▲２▼と収納箱▲３▼の主箱とで接続する回転軸にボールトナットを設けること。
（ハ）主要材料は木製あるが、（Ｃ）と（Ｄ）でも可能であること。
（Ｃ）軽金属
（Ｄ）合成樹脂
（二）本考案の材料寸法を変えることにより、棒状の道具を扱うスポーツの架台とすること。
【考案の効果】
【０００７】本考案は、試作済みで某チームでは、県大会や遠征試合に使用され、関係者の評価を得て話題となった。
【図面の簡単な説明】
【図１】本案の立ち上り平面図
【図２】本案の立ち上り（Ａ−Ａ）断面図
【図３】本案の立ち上り（Ｂ−Ｂ）断面図
【図４】本案の折りたたみ（Ｃ−Ｃ））断面稼動図
【図５】斜投影収納図
【図６】斜投影立面図
【符号の説明】
▲１▼天板
▲２▼側板
▲３▼収納箱
▲４▼垂れ板
▲５▼ブレ止め板
▲６▼丁番
▲７▼丁番（首町丁番）
▲８▼箱留め金具
▲９▼クッションゴム
▲１０▼取っ手
【図１】
0003105488.tif 000003
【図２】
0003105488.tif 000004
【図３】
0003105488.tif 000005
【図４】
0003105488.tif 000006
【図５】
0003105488.tif 000007
【図６】
0003105488.tif 000008
【手続補正書】
【提出日】平成16年6月15日(2004.6.15)
【手続補正１】
【補正対象書類名】図面
【補正対象項目名】図２
【補正方法】変更
【補正の内容】
【図２】
0003105488.tif 000009
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
（イ）  野球バットを差込める穴並びに欠き込みのある天板▲１▼を上辺に、二つ折れにできる側板▲２▼を両側面に、収納箱▲３▼を下辺に設けた長方形にし、各接点を丁番▲６▼で接続し、回転支点する。
（ロ）  天板▲１▼の上に重ねて設けた垂れ板▲４▼は、長手方向片面と天板▲１▼の同位置方向片面とを背中合わせに首長丁番▲７▼で接続し、同丁番の軸を中心に２７０度回転させ、天板▲１▼の裏と側板▲２▼２枚で構成する内角に嵌め込み垂らすことにより、長方形の各支点が拘束され回転が止まり、野球バットスタンドとしての架台が出来る。
（ハ）  （ロ）で立ち上がっている野球バットスタンドの長方形の内角から、垂れ板▲４▼を回転しながら引き抜くことにより、各支点が回転軸となり、側板▲２▼を長方形の内側へ二つに折りたたみ、収納箱▲３▼の中に納めることが出来る。
（ニ）  収納箱▲３▼は、主箱と蓋箱を同型に設け、それぞれの長手方向片面を丁番で接続し、主箱は収納用に、蓋箱は野球バットスタンドの転倒防止を兼ね、それぞれの箱の内側には野球バットを立てた時の穴あきブレ止め板▲５▼を張付け、外側には箱留め金物▲８▼とクッションゴム▲９▼及び取っ手▲１０▼を取付ける。
（ホ）  上記（イ）、（ロ）、（ハ）、（ニ）の部材は丁番で接続され各支点とも回転軸になっているので、一回の操作で収納し、蓋箱をかぶせ、留め金物▲８▼を掛けた後、軽易に持ち運びが出来る。
以上の如く構成された、ポータブル野球バットスタンド。